(57)【要約】【課題】コンパクトで低騒音のモータ駆動制御装置を提供すること。【解決手段】交流電源１を入力とする整流回路２と、前記整流回路２の出力間に接続され、少なくとも２つ以上の小容量フィルムコンデンサ（３１、３２）と、前記整流回路２の出力に接続されたモータ５を駆動するインバータ回路４とを備えたもので、整流回路２の出力間に接続されるフィルムコンデンサをn個（ｎは２以上の整数）使用することにより、フィルムコンデンサ（３１、３２）から発生するインバータの電流電圧脈動による騒音が低減し、騒音対策の為のカバー等を用いることなく、コンパクトで騒音の発生しないモータ駆動制御装置を得ることができる。【選択図】図１
2006304411.tif 000002
【特許請求の範囲】
【請求項１】
交流電源を入力とする整流回路と、前記整流回路の出力間に接続され、少なくとも２つ以上の小容量フィルムコンデンサと、前記整流回路の出力に接続されたモータを駆動するインバータ回路とを備えたモータ駆動制御装置。
【請求項２】
交流電源と整流回路の間に小容量のリアクトルを設けた請求項１記載のモータ駆動制御装置。
【請求項３】
交流電源を入力とする昇圧コンバータ回路と、前記昇圧コンバータ回路の出力間に接続され、少なくとも２つ以上の小容量フィルムコンデンサと、前記昇圧コンバータ回路の出力に接続されたモータを駆動するインバータ回路とを備えたモータ駆動制御装置。
【請求項４】
交流電源と昇圧コンバータ回路の間に小容量のリアクトルを設けた請求項３記載のモータ駆動制御装置。
【請求項５】
請求項１〜４のいずれか１項に記載のモータ駆動制御装置により駆動する圧縮機。
【発明の詳細な説明】
【技術分野】
【０００１】
本発明は、モータ駆動制御装置に関し、特に、整流回路に接続されるコンデンサを小容量化してモータを駆動する駆動制御装置に関するものである。
【背景技術】
【０００２】
従来、モータを駆動する回路には、大容量コンデンサが使用されていた。図５は、従来のモータ駆動制御装置１３である。１は交流電源、２は交流電源１を入力とする整流回路、１２は整流回路２の出力間に接続された大容量平滑コンデンサ、５はモータ、４は整流回路２の出力に接続されたモータ５を駆動するインバータ回路である（例えば、特許文献１参照）。
【０００３】
このような従来のモータ駆動制御装置においては、大容量平滑コンデンサ１２が使用されているため、コンデンサからインバータの電流電圧脈動による騒音は発生していない。
【特許文献１】特開昭６３−２３４８６６号公報
【発明の開示】
【発明が解決しようとする課題】
【０００４】
しかし、近年、省資源化及び低コスト化の観点から、整流回路の出力間に接続されたコンデンサを小容量化したモータ駆動制御装置においては、コンデンサを電解コンデンサからフィルムコンデンサに変更して回路を構成している。コンデンサを小容量化したため、フィルムコンデンサからインバータの電流電圧脈動による騒音が発生し、モータ駆動制御装置の騒音対策が必要であるという課題があった。
【０００５】
本発明は、上記のような課題を解決するためになされたもので、コンパクトで低騒音のモータ駆動制御装置を提供することを目的とする。
【課題を解決するための手段】
【０００６】
上記課題を解決するために本発明のモータ駆動制御装置は、交流電源を入力とする整流回路と、前記整流回路の出力間に接続され、少なくとも２つ以上の小容量フィルムコンデンサと、前記整流回路の出力に接続されたモータを駆動するインバータ回路とを備えたもので、整流回路の出力間に接続されるフィルムコンデンサをn個（ｎは２以上の整数）使用することにより、フィルムコンデンサから発生するインバータの電流電圧脈動による騒音が低減し、騒音対策の為のカバー等を用いることなく、コンパクトで騒音の発生しないモータ駆動制御装置を得ることができる。
【発明の効果】
【０００７】
本発明によれば、コンパクトで低騒音のモータ駆動制御装置を提供できる。
【発明を実施するための最良の形態】
【０００８】
第１の発明は、交流電源を入力とする整流回路と、前記整流回路の出力間に接続され、少なくとも２つ以上の小容量フィルムコンデンサと、前記整流回路の出力に接続されたモータを駆動するインバータ回路とを備えたもので、整流回路の出力間に接続されるフィルムコンデンサをn個（ｎは２以上の整数）使用することにより、フィルムコンデンサから発生するインバータの電流電圧脈動による騒音が低減し、騒音対策の為のカバー等を用いることなく、コンパクトで騒音の発生しないモータ駆動制御装置を得ることができる。
【０００９】
第２の発明は、交流電源と整流回路の間に小容量のリアクトルを設けたもので、リアク
タを付加しているので、さらにフィルムコンデンサから発生するインバータの電流電圧脈動による騒音が低減し、騒音対策の為のカバー等を用いることなく、コンパクトで騒音の発生しないモータ駆動制御装置を得ることができる。
【００１０】
第３の発明は、交流電源を入力とする昇圧コンバータ回路と、前記昇圧コンバータ回路の出力間に接続され、少なくとも２つ以上の小容量フィルムコンデンサと、前記昇圧コンバータ回路の出力に接続されたモータを駆動するインバータ回路とを備えたもので、昇圧コンバータ回路の出力間に接続されるフィルムコンデンサをn個（ｎは２以上の整数）使用することにより、フィルムコンデンサから発生するインバータの電流電圧脈動による騒音が低減し、騒音対策の為のカバー等を用いることなく、コンパクトで騒音の発生しないモータ駆動制御装置を得ることができる。
【００１１】
第４の発明によれば、交流電源と昇圧コンバータ回路の間に小容量のリアクトルを設けたもので、リアクタを付加しているので、さらにフィルムコンデンサから発生するインバータの電流電圧脈動による騒音が低減し、騒音対策の為のカバー等を用いることなく、コンパクトで騒音の発生しないモータ駆動制御装置を得ることができる。
【００１２】
第５の発明によれば、請求項１〜４のいずれか１項に記載のモータ駆動制御装置により駆動する圧縮機で、コンパクトで騒音の発生しない圧縮機を得ることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１であるモータ駆動制御装置を示す図である。この実施の形態１のモータ駆動制御装置１３は、交流電源１を入力とする整流回路２と、整流回路２の出力間に並列に接続された２個の小容量（０．４μＦ以上で１００μＦ以下）のフィルムコンデンサ３１、３２と、整流回路２の出力に接続されたモータ５を駆動するインバータ回路４を有している。
【００１５】
すなわち、このモータ駆動制御装置１３は、省資源化及び低コスト化の観点から、整流回路２の出力間に接続されたコンデンサを小容量化して、モータ５を駆動している。一般のフィルムコンデンサは、コンデンサフィルムを丸く巻き取って円筒状にした後に、押し潰して扁平巻き形状にして（小判型の形状）製品化されており、扁平巻き形状にする為に、コンデンサフィルムを巻き取ってコンデンサにするとき、弱めのテンションで巻きとっている。
【００１６】
整流回路２の出力間に接続されたコンデンサを小容量化してインバータ回路４を駆動した場合、扁平巻きフィルムコンデンサにおいてはフィルムが引き締まっていない為、インバータの電流電圧脈動により騒音が発生してしまう。本発明においては、２個の小容量のフィルムコンデンサ３１、３２を使用することにより、フィルムコンデンサに印加されるインバータの電流電圧脈動を分散することになり、
騒音が発生しない。
【００１７】
（実施の形態２）
図２は、本発明の実施の形態２であるモータ駆動制御装置を示す図である。この実施の形態２のモータ駆動制御装置１３は、１は交流電源、６は交流電源１に接続された小容量（２ｍＨ以下）のリアクタ、２はリアクタ６に接続された整流回路と、整流回路２の出力間に並列に接続された２個の小容量（０．４μＦ以上で１００μＦ以下）のフィルムコンデンサ３１、３２と、整流回路２の出力に接続されたモータ５を駆動するインバータ回路
４を有している。
【００１８】
すなわち、このモータ駆動制御装置１３は、省資源化及び低コスト化の観点から、整流回路２の出力間に接続されたコンデンサを小容量化して、モータ５を駆動している。一般のフィルムコンデンサは、コンデンサフィルムを丸く巻き取って円筒状にした後に、押し潰して扁平巻き形状にして（小判型の形状）製品化されており、扁平巻き形状にする為に、コンデンサフィルムを巻き取ってコンデンサにするとき、弱めのテンションで巻きとっている。
【００１９】
整流回路２の出力間に接続されたコンデンサを小容量化してインバータ回路４を駆動した場合、扁平巻きフィルムコンデンサにおいてはフィルムが引き締まっていない為、インバータの電流電圧脈動により騒音が発生してしまう。本発明においては、２個の小容量のフィルムコンデンサ３１、３２を使用することにより、フィルムコンデンサに印加されるインバータの電流電圧脈動を分散することになり、騒音が発生しない。
【００２０】
（実施の形態３）
図３は、本発明の実施の形態３であるモータ駆動制御装置を示す図である。この実施の形態３のモータ駆動制御装置１３は、交流電源１を入力とする昇圧コンバータ回路７と、昇圧コンバータ回路７の出力間に接続された６個の小容量（０．４μＦ以上で１００μＦ以下）のフィルムコンデンサ８１、８２、９１、９２、１０１、１０２と、昇圧コンバータ回路７の出力に接続されたモータ５を駆動するインバータ回路４を有している。
【００２１】
すなわち、このモータ駆動制御装置１３は、省資源化及び低コスト化の観点から、昇圧コンバータ回路７の出力間に接続されたコンデンサを小容量化して、モータ５を駆動している。一般のフィルムコンデンサは、コンデンサフィルムを丸く巻き取って円筒状にした後に、押し潰して扁平巻き形状にして（小判型の形状）製品化されており、扁平巻き形状にする為に、コンデンサフィルムを巻き取ってコンデンサにするとき、弱めのテンションで巻きとっている。
【００２２】
整流回路２の出力間に接続されたコンデンサを小容量化してインバータ回路４を駆動した場合、扁平巻きフィルムコンデンサにおいてはフィルムが引き締まっていない為、インバータの電流電圧脈動により騒音が発生してしまう。本発明においては、６個の小容量のフィルムコンデンサ８１、８２、９１、９２、１０１、１０２を使用することにより、フィルムコンデンサに印加されるインバータの電流電圧脈動を分散することになり、騒音が発生しない。
【００２３】
（実施の形態４）
図４は、本発明の実施の形態４であるモータ駆動制御装置を示す図である。この実施の形態４のモータ駆動制御装置１３は、１は交流電源、１１は交流電源１に接続された小容量（２ｍＨ以下）のリアクタ、７はリアクタ１１に接続された昇圧コンバータ回路と、昇圧コンバータ回路７の出力間に接続された６個の小容量（０．４μＦ以上で１００μＦ以下）のフィルムコンデンサ８１、８２、９１、９２、１０１、１０２と、昇圧コンバータ回路７の出力に接続されたモータ５を駆動するインバータ回路４を有している。
【００２４】
すなわち、このモータ駆動制御装置１３は、省資源化及び低コスト化の観点から、昇圧コンバータ回路７の出力間に接続されたコンデンサを小容量化して、モータ５を駆動している。一般のフィルムコンデンサは、コンデンサフィルムを丸く巻き取って円筒状にした後に、押し潰して扁平巻き形状にして（小判型の形状）製品化されており、扁平巻き形状にする為に、コンデンサフィルムを巻き取ってコンデンサにするとき、弱めのテンションで巻きとっている。
【００２５】
整流回路２の出力間に接続されたコンデンサを小容量化してインバータ回路４を駆動した場合、扁平巻きフィルムコンデンサにおいてはフィルムが引き締まっていない為、インバータの電流電圧脈動により騒音が発生してしまう。本発明においては、６個の小容量のフィルムコンデンサ８１、８２、９１、９２、１０１、１０２を使用することにより、フィルムコンデンサに印加されるインバータの電流電圧脈動を分散することになり、騒音が発生しない。
【産業上の利用可能性】
【００２６】
本発明は、交流電源を入力とし、整流回路の出力間に接続されたコンデンサを小容量化したモータ駆動制御装置において、フィルムコンデンサをn個（ｎは２以上の整数）使用することにより、インバータの電流電圧脈動による騒音を無くし、騒音対策の為のカバー等を用いることなく、コンパクトで騒音の発生しないモータ駆動制御装置を得ることができる極めて有用なものである。
【図面の簡単な説明】
【００２７】
【図１】本発明の実施の形態１によるモータ駆動制御装置の電気回路図
【図２】本発明の実施の形態２によるモータ駆動制御装置の電気回路図
【図３】本発明の実施の形態３によるモータ駆動制御装置の電気回路図
【図４】本発明の実施の形態４によるモータ駆動制御装置の電気回路図
【図５】従来のモータ駆動制御装置の電気回路図
【符号の説明】
【００２８】
１  交流電源
２  整流回路
４  インバータ回路
５  モータ
６  リアクタ
７  昇圧コンバータ回路
１１  リアクタ
３１、３２  フィルムコンデンサ
８１、８２、９１、９２、１０１、１０２  フィルムコンデンサ
【図１】
2006304411.tif 000003
【図２】
2006304411.tif 000004
【図３】
2006304411.tif 000005
【図４】
2006304411.tif 000006
【図５】
2006304411.tif 000007